(57)【要約】      （修正有）【課題】押出成形セメント板を外壁材として用い、屋内側に吹付けウレタンフォームからなる断熱層を備え、開口部を有する外壁断熱構造において、開口部を囲んで屋内側に配置された開口補強材と押出成形セメント板との間隙へのウレタンフォーム施工時の開口補強材の歪みや位置ずれを防止する、外壁断熱構造及びカバー材を提供する。【解決手段】開口補強材３１と押出成形セメント板１との間隙２０を塞ぐ突出部を有するカバー材４１で開口補強材を覆う構成とする。【選択図】図１
0003233770.tif 000002
【実用新案登録請求の範囲】
【請求項１】
屋外側に押出成形セメント板を、屋内側に断熱層を有し、開口部を有する外壁であって、前記押出成形セメント板の屋内側に、前記開口部を囲む開口補強材を有し、該開口補強材は、断面がＬ字型で、一片が屋内側に突出し、他片が前記押出成形セメント板の表面に平行で、且つ該表面との間に所定の間隙を有し、さらに、前記一片が前記他片よりも開口部側に位置する外壁の断熱構造であって、
前記断熱層が吹き付けウレタンフォーム層であり、
前記開口補強材の屋内側を覆って該開口補強材に取り付けられ、前記他片の自由端側において、前記他片と前記押出成形セメント板との間隙を塞ぐ突出部を有し断熱材からなるカバー材を有することを特徴とする外壁断熱構造。
【請求項２】
前記断熱カバー材が、前記開口補強材の前記一片が嵌合される嵌合部を有することを特徴とする請求項１に記載の外壁断熱構造。
【請求項３】
前記断熱カバー材が、前記開口補強材の前記他片が嵌合される嵌合部を有することを特徴とする請求項１に記載の外壁断熱構造。
【請求項４】
前記断熱カバー材が、前記一片の自由端と、前記他片の自由端とをそれぞれ囲む係合部を有することを特徴とする請求項１に記載の外壁断熱構造。
【請求項５】
屋外側に押出成形セメント板を、屋内側に断熱層を有し、開口部を有する外壁であって、前記押出成形セメント板の屋内側に、前記開口部を囲む開口補強材を有し、該開口補強材は、断面がＬ字型で、一片が屋内側に突出し、他片が前記押出成形セメント板の表面に平行で、且つ該表面との間に所定の間隙を有し、さらに、前記一片が前記他片よりも開口部側に位置する外壁の、前記開口補強材に取り付けられる断熱カバー材であって、
前記断熱層が吹き付けウレタンフォーム層であり、
前記開口補強材の屋内側を覆い、前記他片の自由端側において、前記他片と前記押出成形セメント板との間隙を塞ぐ突出部を有し断熱材からなることを特徴とするカバー材。
【考案の詳細な説明】
【技術分野】
【０００１】
本考案は、押出成形セメント板を外壁材として用いた外壁断熱構造に関する。
【背景技術】
【０００２】
押出成形セメント板（ＥＣＰ）を外壁材として用いた外壁構造において、窓などの開口部の周囲には、開口補強材として断面がＬ字型のアングルが取り付けられるが、該アングルは、ＥＣＰの屋内側表面から所定の間隙を介して取り付けられる（特許文献１参照）。
【先行技術文献】
【特許文献】
【０００３】
【特許文献１】特開２０１９−１１２９１１号公報
【考案の概要】
【考案が解決しようとする課題】
【０００４】
ＥＣＰを外壁材として用いた外壁構造に内張断熱を施す際、断熱層としてウレタンフォームを吹き付け施工する場合が有る。この時、開口補強材とＥＣＰとの間隙内でウレタンフォームが発泡すると、その発泡力によって係る間隙が押し広げられ、開口補強材に歪みが生じたり、開口補強材の位置がずれたりする場合があった。
【０００５】
また、ＥＣＰをロッキング構法で躯体に取り付ける場合には、縦張りでは開口部の上辺において、横張りでは開口部の左右側辺において、ＥＣＰに取り付けたＺクリップとＥＣＰとの隙間に開口補強材を差し込むことにより、ＥＰＣが躯体に取り付けられる。即ち、Ｚクリップと開口補強材とは互いに固定されていないため、地震等が発生した場合には、ＥＣＰが建物の挙動、変形に追随し得る。
【０００６】
ロッキング構法で躯体に取り付けられたＥＣＰの屋内側表面に断熱層としてウレタンフォームを吹き付け施工した場合、ウレタンフォームがＥＣＰ表面から連続してＺクリップや開口補強材を覆うため、ウレタンフォームによってＥＣＰやＺクリップと開口補強材とが互いに固定され、地震等が発生した場合に、ＥＣＰが躯体の挙動、変形に追従しにくくなる。
【０００７】
本考案の課題は、ＥＣＰを外壁材として用い、屋内側に断熱層としてウレタンフォームを吹き付け施工した外壁断熱構造において、ウレタンフォームに起因する開口補強材の歪みや位置ずれを防止し、ＥＣＰをロッキング構法で躯体に取り付けた場合には、ＥＣＰが躯体の挙動、変形に容易に追従する構造を提供することにある。
【課題を解決するための手段】
【０００８】
本考案の第一は、屋外側に押出成形セメント板を、屋内側に断熱層を有し、開口部を有する外壁であって、前記押出成形セメント板の屋内側に、前記開口部を囲む開口補強材を有し、該開口補強材は、断面がＬ字型で、一片が屋内側に突出し、他片が前記押出成形セメント板の表面に平行で、且つ該表面との間に所定の間隙を有し、さらに、前記一片が前記他片よりも開口部側に位置する外壁の断熱構造であって、
前記断熱層が吹き付けウレタンフォーム層であり、
前記開口補強材の屋内側を覆って該開口補強材に取り付けられ、前記他片の自由端側において、前記他片と前記押出成形セメント板との間隙を塞ぐ突出部を有し断熱材からなるカバー材を有することを特徴とする。
【０００９】
本考案の外壁断熱構造においては、以下の構成を好ましい態様として含む。
前記断熱カバー材が、前記開口補強材の前記一片が嵌合される嵌合部を有する。
前記断熱カバー材が、前記開口補強材の前記他片が嵌合される嵌合部を有する。
前記断熱カバー材が、前記一片の自由端と、前記他片の自由端とをそれぞれ囲む係合部を有する。
【００１０】
また、本考案の第二は、屋外側に押出成形セメント板を、屋内側に吹き付けウレタンフォームからなる断熱層を有し、開口部を有する外壁であって、前記押出成形セメント板の屋内側に、前記開口部を囲む開口補強材を有し、該開口補強材は、断面がＬ字型で、一片が屋内側に突出し、他片が前記押出成形セメント板の表面に平行で、且つ該表面との間に所定の間隙を有し、さらに、前記一片が前記他片よりも開口部側に位置する外壁の、前記開口補強材に取り付けられる断熱カバー材であって、
前記開口補強材の屋内側を覆い、前記他片の自由端側において、前記他片と前記押出成形セメント板との間隙を塞ぐ突出部を有し断熱材からなることを特徴とする。
【考案の効果】
【００１１】
本考案においては、開口補強材とＥＣＰ表面との間隙がカバー材によって塞がれた状態で、ウレタンフォームがＥＣＰ表面に吹き付け施工されているため、開口補強材に歪みや位置ずれがなく、設計通りの開口部構造が得られる。また、ＥＣＰをロッキング構法で躯体に取り付けた場合には、ＥＣＰに取り付けられたＺクリップをカバー材が覆った状態で、ウレタンフォームが吹き付け施工されているため、Ｚクリップ周辺へのウレタンフォームの影響がなく、ＥＣＰが躯体の挙動、変形に容易に追従する外壁構造が得られる。
【図面の簡単な説明】
【００１２】
【図１】本考案の外壁断熱構造の一実施形態の開口部上辺付近の構成を模式的に示す、厚さ方向及び垂直方向の断面図である。
【図２】本考案の外壁断熱構造の一実施形態の開口部下辺付近の構成を模式的に示す、厚さ方向及び垂直方向の断面図である。
【図３】本考案の外壁断熱構造の一実施形態の開口部側辺付近の構成を模式的に示す水平方向の断面図、及びカバー材の断面図である。
【図４】図１中及び図３中のカバー材の断面図である。
【図５】本考案の外壁断熱構造の一実施形態の、ＥＣＰの躯体への取付け形態を模式的に示す斜視図である。
【図６】本考案の外壁断熱構造の他の実施形態の開口部側辺付近の構成を模式的に示す水平方向の断面図、及びカバー材の断面図である。
【図７】本考案の外壁断熱構造の他の実施形態の開口部側辺付近の構成を模式的に示す水平方向の断面図、及びカバー材の断面図である。
【図８】本考案の外壁断熱構造の他の実施形態の開口部側辺付近の構成を模式的に示す水平方向の断面図、及びカバー材の断面図である。
【考案を実施するための形態】
【００１３】
本考案は、押出成形セメント板（以下、「ＥＣＰ」と記す）を外壁材として用い、その屋内側に断熱層を有する内張断熱の外壁であって、窓等の開口部を有し、屋内側に該開口部を囲む開口補強材を有する外壁の断熱構造である。本考案において、上記断熱層はウレタンフォームを吹き付け施工してなり、係る施工の際に、開口補強材とＥＣＰとの間隙にウレタンフォームが浸入して該間隙を押し広げるのを防止するために、開口補強材にカバー材が取り付けられていることを特徴とする。
【００１４】
以下、本考案の外壁断熱構造と、該外壁断熱構造に用いられる本考案のカバー材について、図面を参照して詳細に説明する。尚、本考案は、本考案の趣旨を逸脱しない範囲で、当業者の通常の知識に基づいて、以下の実施の形態に対して適宜変更、改良等が加えられたものも本考案の範囲に含まれる。また、本明細書に添付の図面においては、本考案にかかる主要な構成部材のみを示し、他の構成部材については便宜上図示を省略する。
【００１５】
本考案の外壁断熱構造は、梁や基礎などの建物の躯体へのＥＣＰの取付け形態は特に限定されないが、躯体にＥＣＰを固定しないことで躯体の挙動、変形にＥＣＰが容易に追従し得るロッキング構法の場合に、Ｚクリップと開口補強材とをカバー材が覆ってウレタンフォームから遮断することができるため、好ましい。以下、ＥＣＰの躯体への取付け形態がロッキング構法の縦張りである場合の実施形態を挙げて本考案の説明を行う。
【００１６】
図１〜図３は、本考案の外壁断熱構造の一実施形態の開口部付近の構成を模式的に示す断面図であり、図１は開口部上辺付近の、図２は開口部下辺付近の、図３は開口部の一方の側辺付近の断面図である。図３に示す側辺とは反対側の側辺の構造は、図３と対称であるため、図示及び説明を省略する。尚、図１、図２は外壁の厚さ方向で且つ垂直方向の断面図であり、図３は外壁の水平方向の断面図である。図１、図２においては、紙面右側が屋内側、左側が屋外側であり、図３においては、紙面上方が屋外側、下方が屋内側である。また、図４は、図１中、図３中のカバー材を示す図であり、図５は、本実施形態のＥＣＰの躯体への取付け形態を示す、屋内側から見た斜視図である。
【００１７】
図１〜図３，図５に示すように、ＥＣＰ１は、長手方向に連通する中空部１ａを有している。ロッキング構法では、ＥＣＰ１の長手方向の両端にＺクリップ５をボルトなどの取り付け部材６によって取り付け、該Ｚクリップ５とＥＣＰ１との間隙に、躯体に取り付けられたアングルの一片を差し込んで躯体に取り付けられる。図５において、開口部５１以外の領域では、上端を溶接等により上方の梁５２ａに固定された上方通しアングル５３に、下端を溶接等により下方の梁５２ｂに固定された下方通しアングル８に取り付ける。尚、下方通しアングル８は、一片がＥＣＰ１の下方に配置され、ＥＣＰ１を支持する自重受である。
【００１８】
一方、開口部５１の屋内側近傍には、開口部５１を囲むように開口補強材３１，３１，３２，３２が取り付けられる。縦張りの場合、開口部５１の左右の側辺に沿って、開口補強材３２，３２が配置され、上端及び下端がそれぞれ上方通しアングル５３，下方通しアングル８に溶接等により固定される。そして、左右の開口補強材３２，３２の間に、開口部５１の上辺及び下辺に沿って開口補強材３１，３１が配置され、それぞれの両端が開口補強材３２，３２に溶接等により固定される。
【００１９】
開口補強材３１，３２はいずれも断面がＬ字のアングルであり、それぞれＥＣＰ１の表面に対して直交するように屋内側に突出する直交片３１ａ，３２ａと、ＥＣＰ１の表面に平行に配置される平行片３１ｂ，３２ｂと、を有し、直交片３１ａ，３２ａが開口部側に位置するように、配置される。
【００２０】
図１，図５に示すように、開口部５１の上方においては、ＥＣＰ１の上端側に取り付けられたＺクリップ５とＥＣＰ１との間隙に上方通しアングル５３が差し込まれ、下端側に取り付けられたＺクリップ５とＥＣＰ１との間隙に下方通しアングル８と開口補強材３１の平行片３１ｂとが差し込まれて、ＥＣＰ１が躯体に取り付けられる。
【００２１】
また、図２，図５に示すように、開口部５１の下方においては、ＥＣＰ１の上端側に取り付けられたＺクリップ５とＥＣＰ１との間隙に開口補強材３１の平行片３１ｂが差し込まれ、下端側に取り付けられたＺクリップ５とＥＣＰ１との間隙に下方通しアングル８が差し込まれて、ＥＣＰ１が躯体に取り付けられる。
【００２２】
図１〜図３に示すように、開口部５１には、窓材１６が取り付けられ、窓材１６とＥＣＰ１との間隙には、シーリング材１３，透水材１４、ロックウール等の充填材１５が充填される。また、開口部５１の上辺側においては、不図示の水切りなどが配置される。さらに、開口部５１を囲むように、接着剤１１を介して額縁１０が配置され、屋内側に内装材１２が取り付けられる。
【００２３】
開口補強材３１，３２は、平行片３１ｂ，３２ｂがＥＣＰ１の表面から所定の間隙２０を介して配置するように取り付けられる。そのため、ＥＣＰ１の屋内側表面にウレタンフォームを吹き付け施工して断熱層を形成しようとすると、係る間隙２０にウレタンフォームが浸入して発泡し、その発泡力によって該間隙２０が押し広げられ、開口補強材３１，３２が歪んだり、位置がずれたりするおそれがある。
【００２４】
そこで、本考案においては、ウレタンフォームを吹き付け施工する前に、開口補強材３１，３２を屋内側から覆うカバー材４１，４２を開口補強材３１，３２に取り付けておき、カバー材４１，４２で覆われていないＥＣＰ１の表面にウレタンフォームを吹き付け施工して断熱層２を形成することで、ウレタンフォームの吹き付け施工に起因する開口補強材３１，３２の歪みや位置ずれの発生を防止する。
【００２５】
カバー材４１，４２は、いずれも、図１〜図３において紙面に直交する方向に長尺で、開口部の上辺側に配置されるカバー材４１と、下辺側に配置されるカバー材４１は、同じ形状のものが、両側辺側に配置されるカバー材４２は同じ形状のものが用いられる。カバー材４１，４２は、開口補強材３１，３２の平行片３１ｂ，３２ｂの自由端側（開口部から離れる側）において、平行片３１ｂ，３２ｂとＥＣＰ１との間隙２０を塞ぐ突出部４１ａ，４２ａを有している。よって、係るカバー材４１，４２を開口補強材３１，３２に取り付けておくことにより、開口補強材３１，３２近傍にウレタンフォームが吹き付けられても、ウレタンフォームが間隙２０内に浸入するおそれがない。
【００２６】
図１〜図３の実施形態において、カバー材４１は、開口補強材３１の直交片３１ａが挿嵌される嵌合部４１ｂを、カバー材４２は、開口補強材３２の直交片３２ａが挿嵌される嵌合部４２ｂを、それぞれ有している。また、カバー材４１は、Ｚクリップ５を覆うように、嵌合部４１ｂから突出部４１ａまでの距離がカバー材４２よりも長い。よって、本実施形態では、カバー材４１，４２によって、開口補強材３１，３２と共に、Ｚクリップ５も覆われ、ウレタンフォームはこれらには付着しない。また、カバー材４１，４２は嵌合部４１ｂ，４２ｂに開口補強材３１，３２が嵌合されて取り付けられているだけで、接着剤等で固定されたものではないため、開口補強材３１，３２は嵌合部４１ｂ，４２ｂ内で摺動することができる。よって、地震発生時には、ＥＣＰ１が躯体の挙動、変形に容易に追従することができる。
【００２７】
本考案のカバー材４１，４２は、開口補強材３１，３２に非固定で取り付けられること、開口補強材３１，３２の平行片３１ｂ，３２ｂとＥＣＰ１との間隙２０へのウレタンフォームの浸入を防止できる突出部４１ａ，４２ａを有していれば、形状は限定されない。図６〜図８に他の形状のカバー材の実施形態を挙げる。図６〜図８は、図３と同じ部位の断面図であり、カバー材４２の形状が異なる以外、構成は同じである。
【００２８】
図６のカバー材４２は、突出部４２ａが、ＥＣＰ１と開口補強材３２の平行片３２ｂとの間隙に挿嵌される延長部４２ｃを有しており、該延長部４２ｃによって、平行片３２ｂが嵌合される嵌合部４２ｂが形成されている。よって、係るカバー材４２は、平行片３２ｂを嵌合部４２ｂに嵌合させることで、開口補強材３２に取り付けられる。
【００２９】
図７、図８のカバー材４２は、いずれも、突出部４２ａが、ＥＣＰ１と開口補強材３２の平行片３２ｂとの間隙に回り込み、平行片３２ｂの自由端に係合される係合部４２ｄが形成されている。また、係るカバー材４２は、直交片３２ａの自由端側にも同様の形状の係合部４２ｄが形成されており、これら係合部４２ｄ，４２ｄを直交片３２ａ，平行片３２ｂの自由端に係合することで、カバー材４２が開口補強材３２に取り付けられる。
【００３０】
尚、図６〜図８に示したカバー材４２は、図１、図２に示したＺクリップ５を覆う形態ではないため、ロッキング構法によってＥＣＰ１を取り付ける部位には採用されない。
【００３１】
上記実施形態においては、ＥＣＰ１を縦張りする構成について説明したが、本考案においては、垂直方向と水平方向を入れ替えることで、横張りでも同様に実施することができる。即ち、横張りの場合には、ＥＣＰ１の長尺方向を水平方向とし、水平方向に配置される開口補強材３１，３１を先に取り付けて両端を固定した後に、該開口補強材３１，３１間に垂直方向に開口補強材３２，３２を取り付け、上下端を上記開口補強材３１，３１に溶接等で固定する。また、Ｚクリップ５はＥＣＰ１の水平方向の両端に取り付けられるため、Ｚクリップ５とＥＣＰ１との間に開口補強材３２，３２が差し込まれる。
【００３２】
本考案で用いられるカバー材は、断熱材であり、特に限定されないが、プラスチック系発泡体が好ましく、具体的には、押出法ポリスチレンフォーム又はポリエチレンフォームが好ましく用いられる。
【符号の説明】
【００３３】
１：押出成形セメント板（ＥＣＰ）、１ａ：中空部、２：断熱層、５：Ｚクリップ、６：取り付け部材、７：硬質パッキング、８：下部通しアングル、９，１１：接着材、１０：額縁、１２：内装材、１３：シーリング材、１４：透水材、１５：充填材、１６：窓材、２０：間隙、３１，３２：開口補強材、３１ａ，３２ａ：直交片、３１ｂ，３２ｂ：平行片、４１，４２：カバー材、４１ａ，４２ａ：突出部、４１ｂ，４２ｂ：嵌合部、４２ｃ：延長部、４２ｄ：係合部、５１：開口部、５２ａ，５２ｂ：梁、５３：上部通しアングル
【図１】
0003233770.tif 000003
【図２】
0003233770.tif 000004
【図３】
0003233770.tif 000005
【図４】
0003233770.tif 000006
【図５】
0003233770.tif 000007
【図６】
0003233770.tif 000008
【図７】
0003233770.tif 000009
【図８】
0003233770.tif 000010